(57)【要約】【課題】袋を傷つけることなく袋口をしかっりと閉じることができる袋止め具を提供する。【解決手段】絞った袋口３１を通すことができる，それぞれ異なる方向に向かって設けられた複数のスリット１１，１２と，各スリット１１，１２の奥部に設けられていて，スリット１１，１２を通した袋口３１を止める止め穴１１ｈ，１２ｈとを備えている。止め体１３と，この止め体１３に連ねて設けた取っ手１４とを備え，スリット１１，１２および止め穴１１ｈ，１２ｈは止め体１３に設けた。【選択図】図１
2011189980.tif 000002
【特許請求の範囲】
【請求項１】
絞った袋口を通すことができる，それぞれ異なる方向に向かって設けられた複数のスリットと，各スリットの奥部に設けられていて，スリットを通した袋口を止める止め穴とを備えていることを特徴とする袋止め具。
【請求項２】
止め体と，この止め体に連ねて設けた取っ手とを備え，前記スリットおよび止め穴は前記止め体に設けたことを特徴とする請求項１記載の袋止め具。
【請求項３】
前記取っ手は，前記止め体と一体に設けられていて指入れ口を有するリング状に設けるとともに，前記複数のスリットのうちの少なくとも一つのスリットは，該スリットの入口を前記指入れ口に開口させ，かつ前記指入れ口の少なくとも内周部には滑り止め用の合成樹脂を設けてその合成樹脂の一部を前記スリットの入口に臨ませたことを特徴とする請求項２記載の袋止め具。
【請求項４】
前記止め体または取っ手には，この袋止め具を被掛け体へ掛けることができる掛け部を設けるとともに，前記複数のスリットは全て，この袋止め具を被掛け体へ掛けた際に，該スリットの入口が上側に，該スリット奥部の前記止め穴が下側に位置する向きに設けたことを特徴とする請求項２または３記載の袋止め具。
【発明の詳細な説明】
【技術分野】
【０００１】
本発明は，袋の口を止める袋止め具に関するものである。
【背景技術】
【０００２】
従来の袋止め具として，例えば特許文献１に見られるような袋止め具が知られている。同文献の符号を借りて説明すると，この袋止め具は，鋸歯状の突起（４）を有する穴（６）に，絞った袋口をいれ，鋸歯状の突起（４）に引っ掛けて止めることができるようになっている。
しかし，この袋止め具は，袋口を鋸歯状の突起（４）に引っ掛けるようになっているから，袋口を傷付けやすい。袋口が傷つくと，内容物の臭いが漏れる等の問題が生ずる。
また，従来の袋止め具として，例えば特許文献２に見られるような袋止め具が知られている。この袋止め具は，絞った袋口を入れる一対のスリット（７）と，このスリットに連なっていて，絞った袋口が収納される収容穴（５）とを有している。
しかし，この袋止め具は，一対のスリット（７）が同方向に設けられているので，収容穴（５）に入れた袋口がスリット（７）を通って抜けやすいという難点を有している。
【先行技術文献】
【特許文献】
【０００３】
【特許文献１】登録実用新案第３００６１９６号公報
【特許文献２】実開平７−２４７１１号公報
【発明の概要】
【発明が解決しようとする課題】
【０００４】
本発明が解決しようとする課題は，袋を傷つけることなく袋口をしかっりと閉じることができる袋止め具を提供することである。
【課題を解決するための手段】
【０００５】
上記課題を解決するために，本発明の袋止め具は，絞った袋口を通すことができる，それぞれ異なる方向に向かって設けられた複数のスリットと，各スリットの奥部に設けられていて，スリットを通した袋口を止める止め穴とを備えていることを特徴とする。
この袋止め具によれば，袋口を絞ってスリットに通し，スリット奥部にある止め穴に入れることで，袋口を閉じることができる。
そして，スリットは複数設けられており，かつ各スリットは方向を異にして設けられているので，止め穴に入った袋口が抜けにくいという効果が得られる。
また，鋸歯状の突起を設ける必要もないため，袋口を傷つけるということもない。
【０００６】
望ましくは，止め体と，この止め体に連ねて設けた取っ手とを備え，前記スリットおよび止め穴は前記止め体に設ける。
このようにすると，止め体に袋口を止めた状態で，取っ手を持って袋を携行することができる。
【０００７】
さらに望ましくは，前記取っ手は，前記止め体と一体に設けられていて指入れ口を有するリング状に設けるとともに，前記複数のスリットのうちの少なくとも一つのスリットは，該スリットの入口を前記指入れ口に開口させ，かつ前記指入れ口の少なくとも内周部には滑り止め用の合成樹脂を設けてその合成樹脂の一部を前記スリットの入口に臨ませる。
このようにすると，滑り止め用の合成樹脂によって取っ手を持ちやすくなるとともに，その滑り止め用の合成樹脂がスリットの入口に臨んでいることによって，スリットに入った袋口がスリットから一層抜けにくくなる。
【０００８】
また望ましくは，前記止め体または取っ手には，この袋止め具を被掛け体へ掛けることができる掛け部を設けるとともに，前記複数のスリットは全て，この袋止め具を被掛け体へ掛けた際に，該スリットの入口が上側に，該スリット奥部の前記止め穴が下側に位置する向きに設ける。
このようにすると，この袋止め具を被掛け体へ掛けた際に，袋止め具から袋が脱落しにくくなる。
【図面の簡単な説明】
【０００９】
【図１】本発明に係る袋止め具の一実施の形態を示す図で，（ａ）は平面図，（ｂ）は正面図，（ｃ）は左側面図，（ｄ）は右側面図，（ｅ）は底面図，（ｆ）は図（ｂ）におけるｆ−ｆ拡大端面図。
【図２】（ａ）（ｂ）（ｃ）は利用手順の例を示す図。
【図３】（ａ）（ｂ）はそれぞれ使用例を示す図。
【図４】他の実施の形態を示す図で，（ａ）は平面図，（ｂ）は正面図，（ｃ）は左側面図，（ｄ）は右側面図，（ｅ）は底面図，（ｆ）は図（ｂ）におけるｆ−ｆ断面図。
【図５】止め穴１１ｈ，１２ｈの変形例を示す部分正面図。
【発明を実施するための形態】
【００１０】
以下，本発明に係る袋止め具の実施の形態について図面を参照して説明する。
図１に示すように，この袋止め具１０は，絞った袋口３１（図２参照）を通すことができる，それぞれ異なる方向に向かって設けられた複数（図示のものは２つ）のスリット１１，１２と，各スリットの奥部に設けられていて，スリットを通した袋口を止める止め穴１１ｈ，１２ｈとを備えている。
【００１１】
この袋止め具１０によれば，例えば図２に示すように袋３０の袋口３１を絞って（捩って）スリット１１，１２に通し，スリット奥部にある止め穴１１ｈ，１２ｈに入れることで，袋口３１を閉じることができる。例えば，図２（ａ）に示すように袋３０の袋口３１を絞って，図３（ｂ）に示すように，先ず一つ目のスリット１１に通してスリット奥部にある止め穴１１ｈに入れ，次いで，二つ目のスリット１２に通してスリット奥部にある止め穴１２ｈ（図１参照）に入れることで，袋口３１を二重に閉じることができる。なお，先にスリット１２に通し次いでスリット１１に通しても良い。
【００１２】
この袋止め具１０によれば，スリットは複数設けられており，かつ各スリット１１，１２は方向を異にして設けられているので，止め穴１１ｈ，１２ｈに入った袋口が抜けにくいという効果が得られる。例えば袋３０に内容物が入り，その重みが袋口３１にかかった場合，その力（止め穴１１ｈ，１２ｈおよびスリット１１，１２から抜けようとする力でもある）は異なる方向のスリット１１，１２で受け止められ得るので，異なる方向のスリット１１，１２から袋口３１が抜けてしまうという事態は極めて生じにくくなる。なお，前述した特許文献２のものでは一対のスリット（７）が同方向に設けられているので，スリット（７）と同方向に力がかかると袋口がスリットから抜けやすい。
また，この袋止め具１０によれば鋸歯状の突起を設ける必要もないため，袋口を傷つけるということもない。
【００１３】
この袋止め具１０は，止め体１３と，この止め体１３に連ねて設けた取っ手１４とを備えており，前記スリット１１，１２および止め穴１１ｈ，１２ｈは止め体１３に設けてある。
このようにすると，止め体１３に袋口３１を止めた状態で，取っ手１４を持って袋３０を携行することができる。
【００１４】
取っ手１４は，止め体１３と一体に設けられていて指入れ口１４ｈを有するリング状に設けるとともに，複数のスリット１１，１２のうちの少なくとも一つのスリット（図示のものはスリット１２）は，該スリット１２の入口１２ｍを前記指入れ口１４ｈに開口させ，かつ指入れ口１４ｈの少なくとも内周部には滑り止め用の合成樹脂１５を設けてその合成樹脂１５の一部（図示のものは端部）１５ｂを前記スリット１２の入口１２ｍに臨ませている。
【００１５】
このようにすると，滑り止め用の合成樹脂１５によって取っ手１４を持ちやすくなるとともに，その滑り止め用の合成樹脂１５がスリット１２の入口１２ｍに臨んでいることによって，スリット１２に入った袋口３１がスリット１２から抜けようとした際，滑り止め用の合成樹脂１５が抵抗となりうるので，スリット１２に入った袋口３１がスリット１２から一層抜けにくくなる。
【００１６】
前記止め体１３または取っ手１４には，この袋止め具１０を被掛け体４０（図３参照）へ掛けることができる掛け部１６を設けるとともに，前記複数のスリット１１，１２は全て，この袋止め具１０を例えば図３に示す被掛け体４０へ掛けた際に，該スリット１１，１２の入口１１ｍ，１２ｍが上側に，該スリット奥部の前記止め穴１１ｈ，１２ｈが下側に位置する向きに設ける。
このようにすると，この袋止め具１０を被掛け体４０へ掛けた際に，袋止め具１０から袋３０が脱落しにくくなる。
【００１７】
図示のものは，掛け部１６を止め体１３と取っ手１４の間（略境界部分）に設けたが，止め体１３または取っ手１４のどちらかに設けてもよい。
この袋止め具１０を被掛け体４０へ掛けた際に，複数のスリット１１，１２が全て，該スリット１１，１２の入口１１ｍ，１２ｍが上側に，該スリット奥部の前記止め穴１１ｈ，１２ｈが下側に位置する向きになるようにするには，全てのスリットに関し，掛け部１６からスリット（例えば１１）の入口（例えば１１ｍ）までの距離に対し，掛け部１６から止め穴（例えば１１ｈ）までの距離を長くすればよい。
この実施の形態では，図３に示すように，袋止め具１０を被掛け体４０に掛けた際，スリット１１，スリット１２がそれぞれの入口が上に向く，略Ｖ字形になるように形成してある。
なお，掛け部１６には吊り金具２０を取り付けて使用することができる。
【００１８】
この実施の形態の袋止め具１０は，合成樹脂の一体成型品で構成でき，滑り止め用の合成樹脂１５は２色成形によって一体に構成できる。滑り止め用の合成樹脂１５としてはエラストマー樹脂を用いることができる。
止め体１３および取っ手１４は全体として板状であるが，その厚さは任意であり，厚くしてブロック状とすることもできる。少なくとも取っ手１４を厚くすると，持ちやすくなる。
【００１９】
図４は他の実施の形態を示す図である。同図において上述した実施の形態と同一部分ないし相当する部分には同一符号を付してある。
この実施の形態はリング状の取っ手１４に一体に垂下した止め体１３の両辺にスリット１１とスリット１２とをいずれもその入口１１ｍ，１２ｍが斜め上方に向くように傾斜状に設けたものである。
【００２０】
この実施の形態によっても上述した実施の形態と同様な作用効果が得られる。図４には示していないが取っ手１４に対して滑り止め用の合成樹脂１５を設けることも可能である。
さらに，この実施の形態によると，スリット１１とスリット１２とをいずれもその入口１１ｍ，１２ｍが斜め上方に向くように傾斜状に設けたことにより，袋口３１が一層抜けにくくなる。
なお，図１（ｂ）に仮想線１１で示すように，図１に示した袋止め具１０においても，スリット１１を上向き傾斜状に設けることができ，それによって，スリット１１から袋口３１が一層抜けにくくすることができる。
【００２１】
図１，図４に示したいずれの袋止め具１０においても，スリットの幅ｗに対して止め穴の径ｄを大きくしてある。これによって，止め穴１１ｈ，１２ｈに入った袋口３１が止め穴１１ｈ，１２ｈからスリット１１，１２へ向かって出にくくなる
【００２２】
図１，図４に示した袋止め具１０は，いずれも袋３０を下げて携行するのに適しているから，例えば，犬の散歩時に犬の糞を持ち去るのに適している。
従来，犬の散歩時に犬の糞を取る道具は色々あるが，手軽で簡単な糞取り袋を使っている人が多く，市販のものやコンビニのレジ袋などを利用している。
しかし，糞を一度取った後，袋の口が開かない(臭わない)様にするため，袋の口を結んで
持つため，２度３度糞をした時，その都度袋の口を解かなければならなかった。特に片手にリードを持ちながらビニール袋の口を結んだり，解いたりする作業がし難かった。
この袋止め具１０によれば，袋３０の袋口３１を捻りそれぞれのスリット１１，１２に通すだけで袋口３１をホールドし何回でも袋３０の開け閉めが容易である。
また，取っ手１４があり散歩時に持ちやすい。
しかも，図４に示すように，バッグ４１の取っ手やドッグランのフェンス４０などにも容易に掛けられる。
【００２３】
以上，本発明の実施の形態について説明したが，本発明は上記の実施の形態に限定されるものではなく，本発明の要旨の範囲内において適宜変形実施可能である。
例えば，上記の例ではスリットは２つ設けたが３つ以上設けてもよい。
また，図５に示すように，止め穴１１ｈ，１２ｈの縁部をエラストマー樹脂などの滑り止め用の合成樹脂１５によって被覆しても良い。このように構成すると，止め穴１１ｈ，１２ｈに入った袋口３１が止め穴１１ｈ，１２ｈ一層抜け出しにくくなる。
【符号の説明】
【００２４】
１０    袋止め具
１１，１２  スリット
１１ｈ，１２ｈ  止め穴
１１ｍ，１２ｍ  入口
１３    止め体
１４    取っ手
１４ｈ    指入れ口
１５    滑り止め用の合成樹脂
１６    掛け部
３０    袋
３１    袋口
【図１】
2011189980.tif 000003
【図２】
2011189980.tif 000004
【図３】
2011189980.tif 000005
【図４】
2011189980.tif 000006
【図５】
2011189980.tif 000007